(57)【特許請求の範囲】
【請求項１】
使い捨ての注射器（４）であって、ハウジング（１０）内に支持され、弾性エネルギー貯蔵部材（５０）によって負荷を受ける、変位可能なトリガデバイス（８０）によってロック解除可能なピストン作動ラム（６０）を有し、該ピストン作動ラム（６０）をハウジング（１０）内に支持されている張力ロッド（２１）によって支持することができ、
トリガデバイス（８０）は、ハウジング（１０）に対して変位可能なトリガリング（１９０）を含み、
張力ロッド（２１）は、トリガリング（１９０）の当接面（１９５）によって直接的にまたは間接的に支持可能であり、
当接面（１９５）は、使い捨ての注射器（４）の長手方向中心軸（７）に対して、１０度から４５度の間の角度を画成しており、該角度の頂点は、使い捨ての注射器（４）の長手方向中心軸（７）のトリガ方向（６）において、トリガリング（１９０）の下側領域（１９１）よりも下方の位置にずらして配設され、
トリガリング（１９０）をハウジング（１０）に対して患者の皮膚方向であるトリガ方向（６）に変位させ、張力ロッド（２１）が当接面（１９５）に沿ってスライドすることで、ピストン作動ラム（６０）を解放する
ことを特徴とする、前記使い捨ての注射器。
【請求項２】
トリガリング（１９０）はトリガデバイス（８０）のトリガスリーブ（８２）内に支持されている
ことを特徴とする、請求項１に記載の使い捨ての注射器（４）。
【請求項３】
トリガリング（１９０）およびハウジング（１０）は、互いに対して回転方向に固定されるように構築されている
ことを特徴とする、請求項１に記載の使い捨ての注射器（４）。
【請求項４】
当接面（１９５）はスライドプレート（１９６）を担持している
ことを特徴とする、
請求項１に記載の使い捨ての注射器（４）。
【請求項５】
張力ロッド（２１）は単一のストリップとして構築されている
ことを特徴とする、請求項１に記載の使い捨ての注射器（４）。
【請求項６】
張力ロッド（２１）は、該張力ロッド（２１）の挟持部（２５）によってハウジング（１０）内に支持されている
ことを特徴とする、請求項１に記載の使い捨ての注射器（４）。
【請求項７】
挟持部（２５）は、ハウジング（１０）内に固定されている支持ねじ（１２）によってハウジング（１０）内に固止されている
ことを特徴とする、請求項６に記載の使い捨ての注射器（４）。
【請求項８】
トリガデバイス（８０）とハウジング（１０）との間の相対移動は、解放可能なまたはロック解除可能な固定要素（８７）によって阻止可能である
ことを特徴とする、請求項１に記載の使い捨ての注射器（４）。
【発明の詳細な説明】
【技術分野】
【０００１】
本発明は、ハウジング内に支持され、弾性エネルギー貯蔵部材によって負荷を受ける、変位可能なトリガデバイスによってロック解除可能なピストン作動ラムを有し、このピストン作動ラムをハウジング内に支持されている張力ロッドによって支持することができる、使い捨ての注射器に関する。
【背景技術】
【０００２】
特許文献１は、そのような使い捨ての注射器を開示している。構成要素の摩擦および／または傾きによって、トリガを防止できる。
【先行技術文献】
【特許文献】
【０００３】
【特許文献１】ＤＥ１０２００８０６３５１９  Ａ１
【発明の概要】
【発明が解決しようとする課題】
【０００４】
本発明は、使い捨ての注射器のトリガの信頼性を高めるという問題に対処する。
【課題を解決するための手段】
【０００５】
この問題は、主クレームの特徴によって解決される。この目的のために、トリガデバイスは、ハウジングに対して変位可能なトリガリングを含む。張力ロッドは、トリガリングの当接面によって直接的にまたは間接的に支持可能である。さらに、当接面は、使い捨ての注射器の長手方向とともに、１０度から４５度の間の角度を画成しており、この場合、角度の頂点は、使い捨ての注射器のトリガ方向において、トリガリングからずらして配設されている。
【０００６】
本発明のさらなる詳細は、従属請求項および概略的に例示した実施形態の続く記載から諒解されるであろう。
【図面の簡単な説明】
【０００７】
【図１】閉鎖キャップを備えた使い捨ての注射器を示す図である。
【図２】図１の使い捨ての注射器の分解図である。
【図３】図１の使い捨ての注射器の長手方向断面図である。
【図４】図３と直交する長手方向断面図である。
【図５】トリガリングの上方における使い捨ての注射器の断面図である。
【図６】トリガ後の使い捨ての注射器を示す図である。
【図７】空になったシリンダ／ピストンユニットを有する使い捨ての注射器を示す図である。
【図８】ハウジングの二等角投影図である。
【図９】ピストン作動ラムの二等角投影図である。
【図１０】トリガリングの二等角投影図である。
【図１１】支持ディスクの二等角投影図である。
【図１２】支持ロッドの二等角投影図である。
【図１３】トリガ前のトリガデバイスの詳細を示す図である。
【図１４】トリガ後のトリガデバイスの詳細を示す図である。
【発明を実施するための形態】
【０００８】
図１〜図１４は、単回使用のまたは使い捨ての注射器（４）を示している。そのような注射器（４）は、シリンダ／ピストンユニット（１００）内に保存されている注射溶液（１）または溶媒の、患者の皮膚内への１回限りの導入のために使用される。
【０００９】
使い捨ての注射器（４）は、ピストン作動ラム（６０）と恒久的に負荷を受けている弾性エネルギー貯蔵部材（５０）としての圧縮コイルばね（５０）とシリンダ／ピストンユニット（１００）とを有する内側ハウジング（１０）が中に配置されている、包囲ハウジング（８２）を含む。シリンダ／ピストンユニット（１００）は、保護キャップ（１２０）によって閉鎖されている。単回使用の注射器（４）のトリガは、固定スライド部材（８７）によって防止される。この部材は、ロック解除のために取り外し可能とすることができ、またはこれは、単回使用の注射器（４）内で案内されるように変位可能とすることができる。ハウジング（１０）および包囲ハウジング（８２）は、例えば、プラスチック材料から製造される。これは、例えばＰＯＭ、ＡＢＳ等の、熱可塑性または熱硬化性の材料とすることができる。
【００１０】
包囲ハウジング（８２）は、この実施形態では、上側シェル（２２０）および下側シェル（２３０）を含む。２つのシェル（２２０、２３０）は、ジャーナル連結部（２２８、２３８）によって互いに連結され、例えば、ポジティブロックのおよび／または材料係合式で固定される。上側シェル（２２０）および下側シェル（２３０）は、例えば、互いに接着結合、溶着等をすることができる。上側シェル（２２０）および下側シェル（２３０）は、互いに係合することができる。
【００１１】
断面が多角形の包囲ハウジング（８２）は、この実施形態では、少なくとも実質的に正三角形状の断面を有する。図５を参照されたい。使い捨ての注射器（４）の注射場所から離れる方向に面する後部領域における断面表面積は、使い捨ての注射器（４）の注射場所に面する前部領域における断面表面積の、７０％である。断面表面積の一定の増加は、操作者から見た時、使い捨ての注射器（４）の長さの４分の３に配設されている。
【００１２】
使い捨ての注射器（４）は、弾性エネルギー貯蔵部材（５０）およびピストン作動ラム（６０）が中に配置されている、管状ハウジング（１０）を含む。注射場所に面する前部領域において、ハウジング（１０）は、内向きに突出している弾性フック（４２）を有する。図３および図４の図では、例えば、事前充填されたシリンダ／ピストンユニット（１００）が弾性フック（４２）内に挿入され係合している。
【００１３】
ハウジング（１０）は実質的に円筒形の内側輪郭を有する。注射場所から離れる方向に面する後部領域に、内側ねじ山（１１）が配置されている。この中に、六角形の部分（１３）を有する支持ねじ（１２）が配設されている。ハウジング（１０）の外側輪郭は、平坦部分（１４）を有する円筒形の基本形状を有する。図２を参照されたい。平坦部分（１４）の領域において、支持ロッド（２１）がハウジング（１０）と当接している。支持ロッド（２１）は、挟持部材（２５）がハウジング（１０）の上側スロット（１６）内にある状態で突出している。支持ロッド（２１）の巻き付きフック（２６）が、矩形の断面表面領域（１８）を有する下側開口部（１８）を通ってハウジング（１０）内へと突出している。平坦部分（１４）に関して、ハウジング（１０）は、使い捨ての注射器（４）の長手方向（５）に配向されている案内リブ（１５）を有する。図５および図８を参照されたい。
【００１４】
ピストン作動ラム（６０）は、例えば、円筒形の案内ジャーナル（６２）、ラムプレート（７３）、およびピストンスライド部材（７６）を含む。案内ジャーナル（６２）は、この場合、圧縮コイルばね（５０）として構築されている弾性エネルギー貯蔵部材（５０）を担持し案内する。圧縮コイルばね（５０）の上端部は、図３および図４では、ディスク（３８）および支持ロッド（２１）の挟持部材（２５）によって支持ねじ（１２）上に支持されている。案内ジャーナル（６２）は、半径方向に配向されている円弧状の凹部（６６）を有する。使い捨ての注射器（４）は、支持ディスク（３８）なしで構築することができる。
【００１５】
ピストン作動ラム（６０）のラムプレート（７３）は、ディスク状に構築されており、使い捨ての注射器（４）の長手方向中心軸（７）に直交して配向されている。ラムプレート（７３）は、圧縮コイルばね（５０）から離れる方向に面し円錐形で構築されている、つば面（７５）を有する。つば面（７５）の仮想上の円錐の頂角は、例えば、１６０度である。
【００１６】
支持ディスク（１６０）は、このつば面（７５）と当接している。図１１を参照されたい。この実施形態では、支持ディスク（１６０）は穿孔されたディスクであり、中央の穴の周囲に配置されている溝（１６３）およびくさび形部（１６２）を有し、これらにより、支持ディスク（１６０）が、ピストン作動ラム（６０）のピストンスライド部材（７６）上にポジティブロックのように配設される。支持ディスク（１６０）は、側面視して円錐台形で構築されている。これは、例えば金属材料、例えばオーステナイトの耐食鋼から製造される。図３の図では、支持ディスク（１６０）はその位置に、支持ロッド（２１）の巻き付きフック（２６）によって固止されている。
【００１７】
ロッド状のピストンスライド部材（７６）は、この実施形態では、少なくとも実質的に円筒形の構造を有する。例えば、これは、単回使用の注射器（４）の長手方向に配向されているキーフラット（７７）を有する。ピストンスライド部材（７６）がシリンダ／ピストンユニット（１００）内に導入されるときに、これらのキーフラット（７７）に沿って、空気がより素早く抜け出すことができる。
【００１８】
支持ロッド（２１）は、図２、図３、および図１２を参照されたいが、例えば一定の矩形断面表面積を有する、シート金属ストリップから製造される。単回使用の注射器（４）の長手方向（５）と直交する方向における支持ロッド（２１）の幅は、この実施形態では、その厚さよりも８倍大きい。支持ロッド（２１）の材料は、オーステナイトのばね鋼である。その弾性率は、例えば、１９０，０００ニュートン毎平方ミリメートルよりも大きい。支持ロッド（２１）は、主部材（２７）、挟持部材（２５）、および巻き付きフック（２６）を含む。図３の図では、主部材（２７）は、平坦部分（１４）と平行である。その長さは、例えば、支持ロッド（２１）の幅の７倍である。図３の上部に示されている支持ロッド（２１）の後端部は、使い捨ての注射器（４）の内部空間（１７）の方向に面しており、挟持部材（２５）を形成している。例えば曲げ形成法によって曲げられている、挟持部材（２５）は、主部材（２７）角度と、例えば、９２度の角度を形成している。
【００１９】
図３における支持ロッド（２１）の前部下端部も、内部空間（１７）の方向に面しており、巻き付きフック（２６）を形成している。巻き付きフック（２６）は、単回使用の注射器（４）の長手方向中心軸（７）の法平面に対するつば面（７５）の傾斜角度の分だけ、直角よりも大きい角度を、主部材（２７）と画成している。巻き付きフック（２６）の長さは、例えば、挟持部材（２５）の長さの２０％である。
【００２０】
シリンダ／ピストンユニット（１００）は、例えば、透明なシリンダ（１０１）、およびシリンダ（１０１）内で案内されるピストン（１１１）を含む。図３、図４、および図６の図では、ピストン（１１１）は、後方位置に配設されている。ピストン（１１１）と、同じくシリンダ（１０１）内で案内されるピストンスライド部材（７６）との間には、中間空間（１４１）が存在している。その長さはこの実施形態では、２ミリメートルである。この長さは、１ミリメートルから１０ミリメートルの間とすることができる。
【００２１】
図３、図４、図６、および図７の下部に位置するシリンダ／ピストンユニット（１００）の出口開口部（１０６）は、短い円筒形のノズル状の穴（１０６）として構築されている。
【００２２】
図３、図４、図６、および図７の図では、シリンダ／ピストンユニット（１００）は、ハウジング（１０）内に挿入されている。弾性フック（４２）は、シリンダ／ピストンユニット（１００）の上側つば部（１０８）の背後で係合している。弾性フック（４２）上に−つば部（１０８）の下端部の平面の下方に−固定リング（２５０）が定置されている。この固定リング（２５０）は、この実施形態では、円形の基面を有する。その内径は、例えば、変形していない弾性フック（４２）の領域におけるハウジング（１０）の外径よりも大きい。外径は、例えば、包囲ハウジング（８２）の内径よりも大きく、閉鎖キャップ（１２０）の外径よりも小さい。
【００２３】
トリガリング（１９０）は、ハウジング（１０）上に配設されている。これは図１０では、単一の構成要素として示されている。トリガリング（１９０）の包囲面は、上側円筒形部分（１９２）および下側部分（１９１）を有する。下側部分（１９１）は、部分的に円筒形でありかつ部分的に円錐台形で構築されている。内壁（１９３）は、基本形状としては円筒形であり、使い捨ての注射器（４）の長手方向（５）に配向されている回転防止溝（１９４）を一方側に有する。反対側には、斜めの当接面（１９５）が形成されている。この当接面（１９５）は、例えば、単回使用の注射器（４）の長手方向（５）に対して２０度の角度で配向されている。この角度は、その先端がトリガリング（１９０）からずらした状態で使い捨ての注射器（４）のトリガ方向（６）に配設されており、１０度から４５度の間とすることができる。当接面（１９５）は、下側肩部（１９７）において終端している。この下側肩部（１９７）の領域では、内壁は、基本形状の弦によって区切られている。
【００２４】
この実施形態では、スライドプレート（１９６）として構築されている金属挿入シート（１９６）は、当接面（１９５）上に配設されている。しかしながら、使い捨ての注射器（４）は、金属挿入シート（１９６）なしで構築することができる。金属挿入シート（１９６）は、例えば、耐食性のオーステナイト鋼を含む。この材料の弾性率は、１９０，０００ニュートン毎平方ミリメートルよりも大きい。スライドプレート（１９６）は、肩部（１９７）上に位置付けられている。単回使用の注射器（４）がトリガされる前には、図３および図１３を参照すると、支持ロッド（２１）は、スライドプレート（１９６）上に支持されている。支持ロッド（２１）はこの結果、当接面（１９５）上に間接的に支持されている。この材料の組み合わせの静摩擦係数は、例えば、０．２未満である。保存期間が長い場合であっても、圧力を受けている支持ロッド（２１）は、スライドプレート（１９６）の変形を何らもたらさない。この結果、比較的長い保存の期間の後でも、信頼性の高いトリガが保証される。
【００２５】
トリガスリーブ（８２）の２つシェル（２２０、２３０）は、その内側にいずれの場合も、補強リブ（２２１〜２２７；２３１〜２３７）を有する。これらの横断方向のリブ（２２１〜２２７；２３１〜２３７）は、単回使用の注射器（４）の長手方向（５）に直交して配向されている。この場合、後方の補強リブ（２２３〜２２７；２３２〜２３７）は、間に溝（２３９）が配置されている２つの部分を各々有する。操作者から離れる方向に面する最も前方の補強リブ（２２１、２２２；２３１）は、中断のないように各々構築されている。上側シェル（２２０）および下側シェル（２３０）は、複数のジャーナル連結部（２２８、２３８）によって、互いに連結されている。この事例において、この実施形態では、上側シェル（２２０）は、分離接合部において、下側シェル（２３０）のジャーナル穴（２３８）の中に係合する６つのジャーナル（２２８）を有する。適用可能である場合、ジャーナル連結部（２２８、２３８）は、組み立て中に互いに係合することができる。上側シェル（２２０）への下側シェル（２３０）の接着結合も考えられる。
【００２６】
単回使用の注射器（４）の組み立て中、例えば、支持ディスク（１６０）は最初に、ピストン作動ラム（６０）のピストンスライド部材（７６）上に押し付けられる。コイルばね（５０）は、ピストン作動ラム（６０）の案内ジャーナル（６２）上に置かれる。トリガリング（１９０）は、平坦部分（１４）上でおよび案内リブ（１５）上で案内される状態で、後方からハウジング（１０）上に嵌め込まれて、矩形の凹部（１８）の下方に配設されるに至る。例えば、スライドプレート（１９６）は、事前にトリガリング（１９０）内に置かれ固定することができる。環状のハウジング拡大部（１９）により、トリガリング（１９０）の下向きのさらなる移動または変位が防止される。支持ロッド（２１）の挟持部材（２５）が上側ハウジングスロット（１６）内に挿入された後で、ハウジング（１０）内に下方からディスク（３８）が挿入される。ディスク（３８）の厚さは、必要とされる弾性の事前張力に従って選択することができる。したがって、事前に組み立てられる構成要素（５０、６０、１６０）もまた、下方からハウジング（１０）内に挿入され、この結果、圧縮コイルばね（５０）は圧力ディスク（３８）と当接し、圧力ディスク（３８）は挟持部材（２５）に接触する。
【００２７】
支持ねじ（１２）をこの時点で、これが挟持部材（２５）と当接するまでまたはこれを押圧するまで、螺入することができる。適用可能である場合、支持ねじ（１２）のねじ山ピッチ（２１３）および／またはハウジング（１０）は、支持ねじ（１２）が意図せず外れてしまうことを防止するために、平面状の歯の構成を有することができる。ピストン作動ラム（６０）は、例えば器具によって圧入される。この場合、圧縮コイルばね（５０）は緊張状態にある。例えば、ハウジング（１０）はこの場合、保持リング（２１１）上に保持されている。支持ロッド（２１）の巻き付きフック（２６）は、矩形の凹部（１８）内に導入されており、支持ディスク（１６０）の下側（１６１）に置かれている。トリガリング（１９０）は、支持ロッド（２１）と当接するまで引き上げられる。支持ロッド（２１）はこの時点で、スライドプレート（１９６）上に支持されている。図１３を参照されたい。組み立て位置を固定するために、例えばＵ字形状の湾曲した部材をハウジング（１０）の組み立て開口部（２１２）内に導入することができる。この湾曲した部材により、弾性エネルギー貯蔵部材（５０）の挟持デバイスが取り外された後で、トリガリング（１９０）の位置が固定される。この事前組み立てグループはこの時点で、例えば、別の作業場所に運ばれる。意図せずトリガするリスクが存在しない。
【００２８】
単回使用の注射器（４）の下側領域において、固定リング（２５０）を弾性フック（４２）上へと押して、固定リング（２５０）を、例えば保持リング（２１１）に当接させることができる。この時点で、例えば、事前に充填されたシリンダ／ピストンユニット（１００）をハウジング（１０）内に挿入して、この中で係合させることができる。固定リング（２５０）は前方に引かれ、この結果、シリンダ／ピストンユニット（１００）の位置を固止する。
【００２９】
ハウジング（１０）およびシリンダ／ピストンユニット（１００）を備えた事前組み立てグループをこの時点で、さらに運ぶことまたは処理することができる。
【００３０】
最終組み立て中に、この事前組み立てグループは、例えば、下側シェル（２３０）内に挿入することができる。この場合、ハウジング（１０）のリブ（１５）は、下側シェル（２３０）の長手方向溝（２３９）内で心合わせされている。トリガリング（１９０）は、第２の横断方向のリブ（２２２、２３２）および第３の横断方向のリブ（２２３、２３３）との間に配設されている。支持ねじ（１２）の頭部は、一番後方の横断方向のリブ（２２７；２３７）から突出している。閉鎖キャップ（１２０）は、包囲ハウジング（８２）の外側に配設されている。固定要素（８７）は、下側シェル（２３０）のスロット（２４１）内に導入されており、例えば、支持ねじ（１２）とハウジング（８２）との間で挟持されている。支持ねじ（１２）を、例えばポジティブロックのように、それ以上回転しないように固定することができる。適用可能である場合、支持ねじ（１２）とスリーブ（８２）との間の追加の圧縮ばねにより、意図しないトリガへの抵抗を高めることができる。このばねもまた、トリガ中の使い捨ての注射器（４）の抵抗を決定する。Ｕ字形状の湾曲した部材は、取り外すことができる。
【００３１】
組み立ての終わりに、上側シェル（２２０）は、下側シェル（２３０）の上に置かれ、例えば接着結合、係合等によって固定される。この時点で、追加の真正クロージャ（ｏｒｉｇｉｎａｌｉｔｙ  ｃｌｏｓｕｒｅ）、例えば、バンデロール（ｂａｎｄｅｒｏｌｅ）を、包囲ハウジング（８２）および閉鎖キャップ（１２０）上に取り付けることができる。閉鎖キャップ（１２０）は、その周面（１２２）上に、指が滑り落ちるのを防止するためのフルーティング（１２３）を有する。
【００３２】
記載したものと異なる順序で組み立てを行うことも考えられる。
【００３３】
完全に組み立てられた使い捨ての注射器（４）はこの時点で、包装され市販することができる。例えば、包装を開けてこの注射器（４）をテーブルの上に置く場合、ハウジングの幾何学形状の結果として、これが転がって行ってしまうリスクはない。
【００３４】
単回使用の注射器（４）が使用される前に、真正クロージャがまず取り外される。閉鎖キャップ（１２０）が取り外された後で、固定要素（８７）を引き出すことができる。単回使用の注射器（４）は、この時点で使用の準備ができており、例えば、患者の皮膚上に置かれている。例えば、シリンダ／ピストンユニット（１００）の端面（１０３）は、患者の皮膚に結合している。この状態では、支持ロッド（２１）とトリガリング（１９０）との間の自動的なロックによっても、使い捨ての注射器（４）の意図しない自動的なトリガが防止される。図１３を参照されたい。
【００３５】
単回使用の注射器（４）をトリガするために、トリガスリーブ（８２）を形成している包囲ハウジング（８２）は、トリガ方向（６）において前方に、すなわち、患者の皮膚の方向に、変位されている。トリガスリーブ（８０）はこの場合、トリガリング（１９０）をハウジング（１０）に対して、図３、図４、図６、および図７の断面図における下向きの方向に変位させる。図６では、トリガ直後の静的でない状態が示されている。弾性エネルギー貯蔵部材（５０）は、ラムプレート（７３）を前方へと押圧する。この場合、圧力ディスク（１６０）は、支持ロッド（２１）の巻き付きフック（２６）を変位させる。支持ロッド（２１）はスライドプレート（１９６）に沿って外向きにスライドし、この結果、ピストン作動ラム（６０）が完全に解放される。この場合、支持ロッド（２１）は場合により、絶縁ゴム層に突き当たる。ピストン作動ラム（６０）は、弛緩した状態になっている弾性エネルギー貯蔵部材（５０）によって負荷を受けている状態では、前方または後方に素早く移動する。ピストンスライド部材（７６）はピストン（１１１）に突き当たり、これを前方に押す。この場合、空気は、中間空間（１４１）からキーフラット（７７）に沿って変位される。シリンダ（１０１）内に保存されている注射溶液（１）は、出口開口部（１０６）および患者の硬い皮膚を通って患者の体内へと変位される。
【００３６】
図７および図１４は、トリガ後の単回使用の注射器（４）を示している。トリガリング（１９０）は、ハウジング（１０）に対して下向きに変位されている。支持ロッド（２１）は外向きに変位されている。この場合、これは例えば、トリガスリーブ（８２）がトリガリング（１９０）とともに再び押し込まれるのを阻止する。弾性エネルギー貯蔵部材（５０）は弛緩している。ピストン作動ラム（６０）はその前端位置に配設されている。シリンダ／ピストンユニット（１００）は空になっている。
【００３７】
当然ながら、記述した異なる実施形態を互いに組み合わせることも考えられる。
【符号の説明】
【００３８】
１  注射溶液、注射目的の水
４  単回使用の注射器、使い捨ての注射器
５  長手方向
６  トリガ方向
７  長手方向中心軸
１０  ハウジング
１１  内側ねじ山
１２  支持ねじ
１３  六角形の部分
１４  平坦部分
１５  案内リブ
１６  ハウジング開口部、スロット状
１７  内部空間
１８  矩形の断面を有するハウジング開口部
１９  ハウジング拡大部
２１  支持ロッド、ロックロッド
２５  挟持部材
２６  巻き付きフック
２７  主部材
３８  ディスク
４２  弾性フック
５０  弾性エネルギー貯蔵部材、圧縮コイルばね、ばね
６０  ピストン作動ラム
６２  案内ジャーナル
６６  凹部
７３  ラムプレート
７５  つば面
７６  ピストンスライド部材
７７  キーフラット
８０  トリガユニット
８２  トリガ要素、トリガスリーブ
８７  固定スライド部材、固定要素
１００  シリンダ／ピストンユニット
１０１  シリンダ
１０３  端面
１０６  穴／放出開口部
１０８  そで部
１１１  ピストン
１２０  閉鎖キャップ
１２２  周面
１２３  フルーティング
１４１  中間空間
１６０  支持ディスク、圧力ディスク
１６１  下側
１６２  くさび形部
１６３  溝
１９０  トリガリング
１９１  下側領域
１９２  円筒形の領域
１９３  内壁
１９４  回転防止溝
１９５  当接面
１９６  金属挿入シート、スライドプレート
１９７  肩部
２１１  保持リング
２１２  組み立て開口部
２１３  ねじ山ピッチ
２２０  上側シェル
２２１、２２２  補強リブ、横断方向のリブ、１部片
２２３〜２２７  補強リブ、横断方向のリブ、２部片
２２８  ジャーナル
２３０  下側シェル
２３１  補強リブ、横断方向のリブ、１部片
２３２〜２３７  補強リブ、横断方向のリブ、２部片
２３８  ジャーナル穴
２３９  長手方向溝
２４１  スロット
２５０  固定リング
【図１】
0006617158.tif 000002
【図２】
0006617158.tif 000003
【図３】
0006617158.tif 000004
【図４】
0006617158.tif 000005
【図５】
0006617158.tif 000006
【図６】
0006617158.tif 000007
【図７】
0006617158.tif 000008
【図８】
0006617158.tif 000009
【図９】
0006617158.tif 000010
【図１０】
0006617158.tif 000011
【図１１】
0006617158.tif 000012
【図１２】
0006617158.tif 000013
【図１３】
0006617158.tif 000014
【図１４】
0006617158.tif 000015